(57)【要約】【課題】情報処理装置とディスプレイ装置間のセキュリティを向上させる。【解決手段】ユーザによって設定された第１のパスワード情報とディスプレイ装置から受信した前記第２のパスワード情報とを比較し、第１のディスプレイ装置情報とディスプレイ装置から受信した第２のディスプレイ装置情報とを比較し、前記第１のパスワード情報と前記第２のパスワード情報とが一致し且つ記第１のディスプレイ装置情報と第２のディスプレイ装置情報とが一致した場合、オペレーティングシステムを起動する処理を有する制御方法。【選択図】図１
2013073473.tif 000002
【特許請求の範囲】
【請求項１】
ディスプレイ装置と無線通信で接続可能な情報処理装置であって、
前記情報処理装置は、
第１のパスワード情報と第１のディスプレイ装置情報を格納する記憶部と、
前記第１のパスワード情報が未設定の場合にユーザにパスワードを入力させ、入力されたパスワードを前記第１のパスワード情報として設定し、第２のパスワード情報および第２のディスプレイ装置情報を前記ディプレイ装置から受信し、前記第１のパスワード情報と前記第２のパスワード情報とを比較し、前記第１のディスプレイ装置情報と前記第２のディスプレイ装置情報とを比較し、前記第１のパスワード情報と前記第２のパスワード情報とが一致し且つ前記第１のディスプレイ装置情報と前記第２のディスプレイ装置情報とが一致した場合、オペレーティングシステムを起動する処理部と、
を備えることを特徴とする情報処理装置。
【請求項２】
前記第２のディスプレイ装置情報は、前記ディスプレイ装置のシリアル番号または製造番号であることを特徴とする請求項１記載の情報処理装置。
【請求項３】
前記処理部は、前記第１のディスプレイ装置情報が未設定の場合、前記ディスプレイ装置に前記第１のパスワード情報および前記第１のパスワード情報の登録依頼を送信することを特徴とする請求項１記載の情報処理装置。
【請求項４】
前記処理部は、前記第１のディスプレイ装置情報が未設定の場合、前記ディスプレイ装置から前記第２のディスプレイ装置情報を受信し、前記第２のディスプレイ装置情報を前記第１のディスプレイ装置情報として設定することを特徴とする請求項３記載の情報処理装置。
【請求項５】
情報処理装置と無線通信で接続可能なディスプレイ装置であって、
前記ディスプレイ装置は、
第２のパスワード情報および第２のディスプレイ装置情報を格納する記憶部と、
第１のパスワード情報および第１のディスプレイ装置情報を前記情報処理装置から受信し、前記第１のパスワード情報と前記第２のパスワード情報とを比較し、前記第１のディスプレイ装置情報と前記第２のディスプレイ装置情報とを比較し、前記第１のパスワード情報と前記第２のパスワード情報とが一致し且つ前記第１のディスプレイ装置情報と前記第２のディスプレイ装置情報とが一致した場合、前記第２のパスワード情報および前記第２のディスプレイ装置情報を前記情報処理装置に送信する処理部と、
を備えることを特徴とするディスプレイ装置。
【請求項６】
前記第２のディスプレイ装置情報は、前記ディスプレイ装置のシリアル番号または製造番号であることを特徴とする請求項５記載のディスプレイ装置。
【請求項７】
ディスプレイ装置と無線通信で接続可能な第１のパスワード情報と第１のディスプレイ装置情報を格納する記憶部を有する情報処理装置が実行する制御方法であって、
前記第１のパスワード情報が未設定の場合にユーザにパスワードを入力させ、
入力されたパスワードを前記第１のパスワード情報として設定し、
第２のパスワード情報および第２のディスプレイ装置情報を前記ディプレイ装置から受信し、
前記第１のパスワード情報と前記第２のパスワード情報とを比較し、
前記第１のディスプレイ装置情報と前記第２のディスプレイ装置情報とを比較し、
前記第１のパスワード情報と前記第２のパスワード情報とが一致し、且つ前記第１のディスプレイ装置情報と前記第２のディスプレイ装置情報とが一致した場合、オペレーティングシステムを起動する、
ことを特徴とする制御方法。
【発明の詳細な説明】
【技術分野】
【０００１】
本発明は、ディスプレイ装置と無線通信で接続可能な情報処理装置、ディスプレイ装置、および情報処理装置の制御方法に関する。
【背景技術】
【０００２】
近年、無線通信が普及し、電子機器本体と表示装置とを無線通信によって接続することが行われるようになっている。
無線通信による接続では、セキュリティを強固にすることが望まれている。
【０００３】
従来技術では、親機に表示されたパスワードとMedia Access Control（ＭＡＣ）アドレスを用いて、親機と子機の接続認証を行っていた。また、パスワードは出荷時にメーカーによって予め設定されていた。
【先行技術文献】
【特許文献】
【０００４】
【特許文献１】特開２００６−１９１４０３号公報
【特許文献２】特開２００７−３２８５３４号公報
【特許文献３】特開２００７−９６７６５号公報
【発明の概要】
【発明が解決しようとする課題】
【０００５】
しかしながら、親機に表示されたパスワードを用いる場合、不特定多数の人がいる環境では、親機に表示されたパスワードは、第三者に読み取られてしまうため、セキュリティが弱いという問題があった。
【０００６】
また、パスワードは出荷時にメーカーによって予め設定されており、同じメーカーの機器または同じ機種では、パスワードが共通である場合があり、セキュリティが弱いという問題があった。
【０００７】
また、ＭＡＣアドレスは、専門家であれば容易に読み取ることができるため、セキュリティが弱いという問題があった。
本発明の課題は、情報処理装置とディスプレイ装置間のセキュリティを向上させることである。
【課題を解決するための手段】
【０００８】
実施の形態の情報処理装置は、ディスプレイ装置と無線通信で接続可能な情報処理装置であって、記憶部と処理部とを備える。
前記記憶部は、第１のパスワード情報と第１のディスプレイ装置情報を格納する。
【０００９】
前記処理部は、前記第１のパスワード情報が未設定の場合にユーザにパスワードを入力させ、入力されたパスワードを前記第１のパスワード情報として設定する。前記処理部は、第２のパスワード情報および第２のディスプレイ装置情報を前記ディプレイ装置から受信する。前記処理部は、前記第１のパスワード情報と前記第２のパスワード情報とを比較し、前記第１のディスプレイ装置情報と前記第２のディスプレイ装置情報とを比較する。前記処理部は、前記第１のパスワード情報と前記第２のパスワード情報とが一致し且つ前記第１のディスプレイ装置情報と前記第２のディスプレイ装置情報とが一致した場合、オペレーティングシステムを起動する。
【発明の効果】
【００１０】
実施の形態の情報システムによれば、情報処理装置とディスプレイ装置間のセキュリティが向上する。
【図面の簡単な説明】
【００１１】
【図１】実施の形態に係る情報処理システムの構成図である。
【図２】実施の形態に係るＰＣの詳細な構成図である。
【図３】実施の形態に係るディスプレイ装置の詳細な構成図である。
【図４Ａ】実施の形態に係る情報処理装置の処理のフローチャートである。
【図４Ｂ】実施の形態に係る情報処理装置の処理のフローチャートである。
【図５】実施の形態に係るディスプレイ装置の処理のフローチャートである。
【発明を実施するための形態】
【００１２】
以下、図面を参照しながら実施の形態について説明する。
図１は、実施の形態に係る情報処理システムの構成図である。
情報処理システム１０１は、パーソナルコンピュータ（ＰＣ）２０１およびディスプレイ装置３０１を備える。
【００１３】
ＰＣ２０１は、各種情報を処理する情報処理装置である。
ＰＣ２０１は、情報処理装置の一例であり、チューナーボックスや携帯電話、携帯端末などでもよい。
【００１４】
ディスプレイ装置３０１は、ディスプレイ装置３０１の情報やＰＣ２０１から受信した情報を表示する表示装置である。ディスプレイ装置は、例えば、液晶ディスプレイである。
【００１５】
ＰＣ２０１とディスプレイ装置３０１は、無線ＬＡＮで接続している。無線ＬＡＮは、無線通信の一例であり、例えば、Bluetooth（登録商標）、Wireless USB、Wireless Display（WiDi）などでも良い。
【００１６】
図２は、実施の形態に係るＰＣの詳細な構成図である。
ＰＣ２０１は、Central Processing Unit（ＣＰＵ）２１１、無線通信部２１２、アンテナ２１３、BIOS ROM２１４、Random Access Memory（ＲＡＭ）２１５、BIOS設定RAM２１６、電池２１７、I/O Controller Hub（ＩＣＨ）２１８、およびＩ／Ｏ２１９を備える。
【００１７】
ＣＰＵ２１１は、各種処理を行う処理部である。ＣＰＵ２１１は、BIOS ROM２１４からBIOSを読み出して実行する。
無線通信部２１２は、アンテナ２１３を用いて、無線通信によりディスプレイ装置３０１と通信を行う。
【００１８】
BIOS ROM２１４は、BIOSを格納する。BIOSは、後述するBIOSパスワードやディスプレイ装置情報の照合や設定、無線通信の制御等を行うプログラムである。
RAM２１５は、ＣＰＵ２１１で用いられる各種情報を格納する記憶手段である。
【００１９】
BIOS設定RAM２１６は、BIOSパスワード（ＰＷ）２２１およびディスプレイ装置情報２２２を格納する。
電池２１７は、BIOS設定RAM２１６に電力を供給する。それにより、BIOS設定RAM２１６は、ＰＣ２０１の電源がオフとなっても、データを保持することができる。
【００２０】
ＩＣＨ２１８は、Ｉ／Ｏ２１９の制御を行う。
Ｉ／Ｏ２１９は、ＰＣ２０１へのデータの入力またはＰＣ２０１からのデータの出力を行う。Ｉ／Ｏ２１９は、例えば、Serial ATA、USB、シリアルポート、またはパラレルポート等である。
【００２１】
また、ＰＣ２０１は、さらに磁気ディスク装置等の記憶部（不図示）を有し、該記憶部にはオペレーティングシステム（ＯＳ）がインストールされている。
【００２２】
図３は、実施の形態に係るディスプレイ装置の詳細な構成図である。
ディスプレイ装置３０１は、ＣＰＵ３１１、無線通信部３１２、アンテナ３１３、Read Only Memory（ＲＯＭ）３１４、フラッシュＲＯＭ３１５、Random Access Memory（ＲＡＭ）３１６、電池３１７、ビデオＲＡＭ３１８、表示制御部３１９、および表示部３２０を備える。
【００２３】
ＣＰＵ３１１、各種処理を行う処理部である。ＣＰＵ３１１は、ＲＯＭ３１４からプログラムを読み出して実行する。
無線通信部３１２は、アンテナ３１３を用いて、無線通信によりＰＣ２０１と通信を行う。
【００２４】
ＲＯＭ３１４は、後述する各種処理を行うプログラムを格納する。
フラッシュＲＯＭ３１５は、書き換え可能な記憶手段であり、ディスプレイ装置情報３２２を格納する。ディスプレイ装置情報３２２は、ディスプレイ装置３０１に割り当てられた固有の識別情報である。ディスプレイ装置情報３２２は、例えば、ディスプレイ装置３０１のシリアル番号または製造番号である。ディスプレイ装置情報３２２は、読み取り方法が一般、すなわち情報処理システム１０１の製造元以外には公開されていない。すなわち、ＭＡＣアドレスのように、第三者がディスプレイ装置情報３２２を容易に読み取ることは出来ない。
【００２５】
ＲＡＭ３１６は、ＣＰＵ３１１で用いられる各種情報を格納する記憶手段である。ＲＡＭ３１６は、BIOSパスワード３２１を格納する。
尚、BIOSパスワード３２１は、フラッシュＲＯＭ３１５に格納されても良い。
【００２６】
電池３１７は、RAM３１６に電力を供給する。それにより、RAM３１６は、ディスプレイ装置３０１の電源がオフとなっても、データを保持することができる。
ビデオＲＡＭ３１８、表示部３２０に表示されるデータを格納する記憶手段である。
表示制御部３１９は、表示部３２０にデータを表示する制御を行う。
表示部３２０は、データを表示する。
【００２７】
図４Ａ、４Ｂは、実施の形態に係る情報処理装置の処理のフローチャートである。
最初にユーザによりＰＣ２０１の電源が投入される。そして、ＣＰＵ２１１は、BIOS ROM２１４からBIOSを読み出し、BIOSを実行する。
ステップＳ５０１において、ＣＰＵ２１１は、BIOSパスワード２２１が未設定、すなわち空白であるか判定する。BIOSパスワード２２１が未設定である場合、制御はステップＳ５０９へ進み、BIOSパスワード２２１が未設定で無い場合、制御はステップＳ５０２へ進む。
【００２８】
ステップＳ５０２において、ＣＰＵ２１１は、無線ＬＡＮを用いて、接続可能なディスプレイ装置を検索する。ここでは、ディスプレイ装置３０１が検出されたとする。
ステップＳ５０３において、ＣＰＵ２１１は、検出されたディスプレイ装置３０１にBIOSパスワード２２１およびディスプレイ装置情報２２２を送信し、さらに接続要求を送信する。ここで、送信されるBIOSパスワード２２１およびディスプレイ装置情報２２２はBIOS設定RAM２１６に格納されている情報である。
【００２９】
ステップＳ５０４において、ＣＰＵ２１１は、接続要求を送信してから所定の期間の間にディスプレイ装置３０１から応答が無いか判定する。所定の期間の間に応答が無い場合、制御はステップＳ５０２に戻り、所定の期間の間に応答が有った場合、制御はステップＳ５０５へ進む。
【００３０】
ステップＳ５０５において、ＣＰＵ２１１は、ディスプレイ装置３０１からディスプレイ装置情報３２２およびBIOSパスワード３２１を受信する。
ステップＳ５０６において、ＣＰＵ２１１は、受信されたディスプレイ情報３３２が空白であるか判定する。受信されたディスプレイ情報３３２が空白であるの場合、制御はステップＳ５１３へ進み、受信されたディスプレイ情報３３２が空白で無い場合、制御はステップＳ５０７へ進む。
【００３１】
ステップＳ５０７において、ＣＰＵ２１１は、受信されたBIOSパスワード３２１とBIOS設定RAM２１６に格納されているBIOSパスワード２２１とを比較して一致するか否か判定し、受信されたディスプレイ装置情報３２２とBIOS設定RAM２１６に格納されているディスプレイ装置情報２２２とを比較して一致するか否か判定する。受信されたBIOSパスワード３２１とBIOS設定RAM２１６に格納されているBIOSパスワード２２１が一致し、且つ受信されたディスプレイ装置情報３２２とBIOS設定RAM２１６に格納されているディスプレイ装置情報２２２一致する場合、制御はステップＳ５０８へ進み、受信されたBIOSパスワード３２１とBIOS設定RAM２１６に格納されているBIOSパスワード２２１が一致せず、または受信されたディスプレイ装置情報３２２とBIOS設定RAM２１６に格納されているディスプレイ装置情報２２２とが一致しない場合、制御はステップＳ５０２へ戻る。このように、ＰＣ２０１は、受信されたBIOSパスワード３２１とBIOS設定RAM２１６に格納されているBIOSパスワード２２１が一致するか判定し、さらに受信されたディスプレイ装置情報３２２とBIOS設定RAM２１６に格納されているディスプレイ装置情報２２２一致するか判定することによって、適切なディスプレイ装置３０１と接続しているかの認証を行う。
【００３２】
ステップＳ５０８において、ＣＰＵ２１１は、ディスプレイ装置３０１との接続を認証し、ＰＣ２０１にインストールされているＯＳを起動する。
ステップＳ５０９において、ＣＰＵ２１１は、BIOSの初期設定を開始する。
【００３３】
ステップＳ５１０において、ＣＰＵ２１１は、無線ＬＡＮを用いて、接続可能なディスプレイ装置を検索する。ここでは、ディスプレイ装置３０１が検出されたとする。
ステップＳ５１１において、ＣＰＵ２１１は、検出されたディスプレイ装置３０１にBIOSパスワード２２１およびディスプレイ装置情報２２２を送信し、さらに接続要求を送信する。ここで、送信されるBIOSパスワード２２１およびディスプレイ装置情報２２２は空白とする。
【００３４】
ステップＳ５１２において、ＣＰＵ２１１は、接続要求に対して応答があったディスプレイ装置３０１と無線ＬＡＮにより接続する。接続に際して、セキュリティ情報（BIOSパスワードおよびディスプレイ装置情報）は、情報処理システム１０１で共通の予め設定された情報を使用する。
【００３５】
ステップＳ５１３において、ＣＰＵ２１１は、BIOS初期化処理を開始する。
ステップＳ５１４において、ＣＰＵ２１１は、BIOSパスワード２２１が未設定、すなわち空白であるか判定する。BIOSパスワード２２１が未設定である場合、制御はステップＳ５１５へ進み、BIOSパスワード２２１が未設定で無い場合、制御はステップＳ５１７へ進む。
【００３６】
ステップＳ５１５において、ＣＰＵ２１１は、BIOSパスワード登録メニューをディスプレイ表示装置３０１に表示させる。BIOSパスワード登録メニューは、BIOSパスワードを入力させる画面である。BIOSパスワード登録メニューが表示されるとユーザは、パスワードを入力する。尚、ユーザが入力するパスワードはユーザが任意に決めることできる。
【００３７】
ステップＳ５１６において、ＣＰＵ２１１は、パスワードが入力されたか判定する。ＣＰＵ２１１は、パスワードが入力されるまで待機し、パスワードが入力された場合、ＣＰＵ２１１は、入力されたパスワードをBIOSパスワード２２１としてBIOS設定RAM２１６に格納し、制御はステップＳ５１７へ進む。
【００３８】
ステップＳ５１７において、ＣＰＵ２１１は、BIOS設定RAM２１６に格納されているディスプレイ装置情報２２２が空白であるか判定する。ディスプレイ装置情報２２２が空白である場合、制御はステップＳ５１８へ進み、ディスプレイ装置情報２２２が空白でない場合、制御はステップＳ５０１へ戻る。
【００３９】
ステップＳ５１８において、ＣＰＵ２１１は、BIOSの初期化メニューをディスプレイ表示装置３０１に表示させる。初期化メニューは、BIOSの初期化を開始するかユーザに選択させるメニューである。
【００４０】
ステップＳ５１９において、ＣＰＵ２１１は、初期化が開始されたか判定する。実施の形態において、初期化の開始する旨がユーザによって入力された場合に、初期化が開始されたと判定する。ＣＰＵ２１１は、初期化が開始されるまで待機し、初期化が開始されると制御はステップＳ５２０へ進む。
【００４１】
ステップＳ５２０において、ＣＰＵ２１１は、BIOSパスワード２２１およびBIOSパスワードの登録依頼をディスプレイ装置３０１に送信する。
ステップＳ５２１において、ＣＰＵ２１１は、ディスプレイ装置３０１からディスプレイ装置情報３２２を受信し、受信したディスプレイ装置情報３２２をディスプレイ装置情報２２２としてBIOS設定RAM２１６に格納する。
【００４２】
図５は、実施の形態に係るディスプレイ装置の処理のフローチャートである。
最初にユーザによりディスプレイ装置３０１の電源が投入される。そして、ＣＰＵ３１１は、ROM３１４からプログラムを読み出して実行する。そして、ディスプレイ装置３０１は、待機状態となっている。
【００４３】
ステップＳ５３１において、ＣＰＵ３１１は、ＰＣ２０１からディスプレイ装置情報２２２およびBIOSパスワード２２１を受信する。
ステップＳ５３２において、ＣＰＵ３１１は、ディスプレイ装置情報２２２およびBIOSパスワード２２１の送信元であるＰＣ２０１以外のＰＣ（以下、他のＰＣ）と接続中であるか、すなわち通信中であるか判定する。他のＰＣと接続中である場合、ＣＰＵ３１１は応答せずに処理を終了し、他のＰＣと接続中でない場合、制御はステップＳ５３３へ進む。
【００４４】
ステップＳ５３３において、ＣＰＵ３１１は、ＲＡＭ３１６に格納されているBIOSパスワード３２１が空白、すなわち未設定であるか判定する。BIOSパスワード３２１が空白である場合、制御はステップＳ５３６へ進み、BIOSパスワード３２１が空白でない場合、制御はステップＳ５３４へ進む。
【００４５】
ステップＳ５３４において、ＣＰＵ３１１は、受信されたBIOSパスワード２２１が空白であるか判定する。受信されたBIOSパスワード２２１が空白である場合、制御はステップＳ５３６へ進み、受信されたBIOSパスワード２２１が空白でない場合、制御はステップＳ５３５へ進む。
【００４６】
ステップＳ５３５において、ＣＰＵ３１１は、受信されたBIOSパスワード２２１とＲＡＭ３１６に格納されているBIOSパスワード３２１とを比較して一致するか否か判定し、受信されたディスプレイ装置情報２２２とフラッシュＲＯＭ３１５に格納されているディスプレイ装置情報３２２とを比較して一致するか否か判定する。受信されたBIOSパスワード２２１とＲＡＭ３１６に格納されているBIOSパスワード３２１とが一致し、且つ受信されたディスプレイ装置情報２２２とフラッシュＲＯＭ３１５に格納されているディスプレイ装置情報３２２とが一致する場合、制御はステップＳ５４０へ進む。受信されたBIOSパスワード２２１とＲＡＭ３１６に格納されているBIOSパスワード３２１とが一致せず、または受信されたディスプレイ装置情報２２２とフラッシュＲＯＭ３１５に格納されているディスプレイ装置情報３２２とが一致しない場合、ＣＰＵ３１１は応答せずに処理を終了する。
【００４７】
ステップＳ５３６において、ＣＰＵ３１１は、ＰＣ２０１に空白のディスプレイ情報および空白のBIOSパスワードを送信する。
ステップＳ５３７において、ＣＰＵ３１１は、ＰＣ２０１からBIOSパスワード２２１およびBIOSパスワードの登録依頼を受信したか判定する。ＣＰＵ３１１は、BIOSパスワード２２１およびBIOSパスワードの登録依頼を受信するまで待機し、BIOSパスワード２２１およびBIOSパスワードの登録依頼を受信した場合、制御はステップステップＳ５３８へ進む。
【００４８】
ステップＳ５３８において、ＣＰＵ３１１は、受信されたBIOSパスワード２２１をBIOSパスワード３２１としてRAM３１６に格納する。
ステップＳ５３９において、ＣＰＵ３１１は、ＰＣ２０１にディスプレイ装置情報３２２を送信する。
【００４９】
ステップＳ５４０において、ＣＰＵ３１１は、ディスプレイ送信情報３２２およびBIOSパスワード３２１をＰＣ２０１に送信する。
ステップＳ５４１において、ＣＰＵ３１１は、ＰＣ２０１との接続を許可する。すなわち、ディスプレイ装置３０１は、ＰＣ２０１からの接続要求に応じて、無線通信によりＰＣ２０１と接続し、ＰＣ２０１から送信されるデータを表示するようにする。
【００５０】
実施の形態の情報処理システムによれば、認証に用いるパスワードをユーザが設定できるので、パスワードを他人に知られる可能性が低くなり、セキュリティが向上する。
また、実施の形態の情報処理システムによれば、読み取り方法が一般に公開されていないディスプレイ装置情報を用いることにより、他人がディスプレイ装置情報を読み取ることができず、セキュリティが向上する。
【００５１】
また、実施の形態の情報処理システムによれば、修理等によりBIOSパスワードまたはディスプレイ装置情報が未設定の場合に、BIOSパスワードまたはディスプレイ装置情報の設定を行うことができる。
【符号の説明】
【００５２】
１０１    情報処理システム
２０１    ＰＣ
３０１    ディスプレイ装置
２１１    ＣＰＵ
２１２    無線通信部
２１３    アンテナ
２１４    BIOS ROM
２１５    RAM
２１６    BIOS設定RAM
２１７    電池
２１８    ＩＣＨ
２１９    Ｉ／Ｏ
２２１    BIOSパスワード
２２２    ディスプレイ装置情報
３１１    ＣＰＵ
３１２    無線通信部
３１３    アンテナ
３１４    ＲＯＭ
３１５    フラッシュＲＯＭ
３１６    ＲＡＭ
３１７    電池
３１８    ビデオＲＡＭ
３１９    表示制御部
３２０    表示部
３２１    BIOSパスワード
３２２    ディスプレイ装置情報
【図２】
2013073473.tif 000003
【図３】
2013073473.tif 000004
【図４Ａ】
2013073473.tif 000005
【図４Ｂ】
2013073473.tif 000006
【図５】
2013073473.tif 000007
【図１】
2013073473.tif 000008